(57)【要約】【課題】複数に分割してコンパクトに収納可能な、防災用のヘルメットを提供する。【解決手段】着用者の頭部を覆う帽体１２と、該帽体１２の内側に取り付けられる衝撃吸収部材１３とを少なくとも備えるヘルメット１１において、前記帽体１２は、周方向に沿って複数のパーツ１２ａ、１２ｂ、１２ｃに分割可能に形成されると共に、隣接するパーツ相互に渡って連結具２７ａ、２７ｂが設けられている。【選択図】図２
0003122726.tif 000002
【実用新案登録請求の範囲】
【請求項１】
着用者の頭部を覆う帽体と、該帽体の内側に取り付けられる衝撃吸収部材とを少なくとも備えるヘルメットにおいて、
前記帽体は、周方向に沿って複数のパーツに分割可能に形成されると共に、隣接するパーツ相互に渡って連結具が設けられていることを特徴とするヘルメット。
【請求項２】
前記連結具は、前記帽体に設けられた凹部に取り付けられることを特徴とする請求項１に記載のヘルメット。
【考案の詳細な説明】
【技術分野】
【０００１】
本考案は、ヘルメットに関するものであり、更に詳しくは、複数に分割してコンパクトに収納可能な、特に防災用のヘルメットに関するものである。
【背景技術】
【０００２】
従来、この種の防災用のヘルメットとしては、次のような構成のものが知られている。この防災用のヘルメットは、複数の袋体で区画されてなるヘルメット本体と、このヘルメット本体に接続される充填装置とから構成される。袋体は、膨張が自在な樹脂材等で形成されている。また、充填装置は、炭酸ガス等の圧縮ガスが封入されている（特許文献１参照）。
【０００３】
このような構成のヘルメットは、不使用時には袋体にガスが充填されておらず、コンパクトに折り畳まれて収納カバーに収納されている。また、使用時には充填装置から圧縮ガスを噴射させて袋体を膨張させることにより、ヘルメット本体が所定の形状に形成されて頭部に装着できるようになる。
【特許文献１】特開２０００−１１００２２号公報
【考案の開示】
【考案が解決しようとする課題】
【０００４】
この従来例のヘルメットにおいては、ヘルメット本体が複数の袋体で区画されてなり、また、圧縮ガスが封入された充填装置を必要とするので、構造が複雑で部材点数が多く、製造コストが高いという欠点を有している。
【０００５】
また、袋体は、樹脂材等で形成されているので、圧縮ガスが充填されて膨張しても、衝撃強度が低いという欠点を有している。さらに、袋体に充填された圧縮ガスが徐々に漏れ出るおそれがあり、その場合はヘルメットとしての機能を果たせなくなる。
【０００６】
従って、従来例における防災用のヘルメットにおいては、構造を簡易にして製造コストを低く抑えることと、頭部の保護機能を確実にすることとに解決しなければならない課題を有している。
【課題を解決するための手段】
【０００７】
前記従来例の課題を解決する具体的手段として本考案は、着用者の頭部を覆う帽体と、該帽体の内側に取り付けられる衝撃吸収部材とを少なくとも備えるヘルメットにおいて、前記帽体は、周方向に沿って複数のパーツに分割可能に形成されると共に、隣接するパーツ相互に渡って連結具が設けられていることを特徴とするヘルメットを提供するものである。
【０００８】
また、前記連結具は、前記帽体に設けられた凹部に取り付けられる構成としたものである。
【考案の効果】
【０００９】
本考案に係るヘルメットは、着用者の頭部を覆う帽体と、該帽体の内側に取り付けられる衝撃吸収部材とを少なくとも備えるヘルメットにおいて、前記帽体は、周方向に沿って複数のパーツに分割可能に形成されると共に、隣接するパーツ相互に渡って連結具が設けられていることによって、不使用時には帽体を複数に分割してコンパクトに収納できる。また、使用時には短時間で簡単に組み立てることができる。
更には、構造が比較的簡単で製造コストを低く抑えることができる。また、従来例に比較して頭部の保護機能が確実であるという種々の優れた効果を奏する。
【００１０】
また、前記連結具は、前記帽体に設けられた凹部に取り付けられることによって、連結具が帽体の外側に突出しない。従って、連結具が邪魔にならず、指などが触れて意に反した操作がなされないという優れた効果を奏する。
【考案を実施するための最良の形態】
【００１１】
次に、本考案の実施の形態について図面を参照しながら説明する。まず、図１から図３において、符号１１はヘルメットを示し、このヘルメット１１は、着用者の頭部を覆う帽体１２と、この帽体１２の内側に取り付けられるハンモック（衝撃吸収部材）１３とから構成される。
【００１２】
帽体１２は、ＦＲＰ製樹脂、ＡＢＳ製樹脂、ＰＣ製樹脂等の強化樹脂材、又は金属材等の強度の高い材料で形成されている。また、帽体１２は、略ドーム形に形成されており、縁部にはひさし１４が設けられている。
【００１３】
帽体１２の前部には、図４に示すように、凹部１５が設けられている。この凹部１５は、後述する連結具２７ａ及び連結具２７ｂが設けられる部位である。このように、連結具２７ａ及び連結具２７ｂが、凹部１５に設けられることによって帽体１２の外側に突出しない。なお、図３及び図５中の符号１５ａは、凹部１５の裏側を示す。
【００１４】
同様に帽体１２の後部には、図２及び図４に示すように、凹部１６が設けられており、この凹部１６は、後述する連結具２７ａ及び連結具２７ｂが設けられる部位である。このように、連結具２７ａ及び連結具２７ｂが、凹部１６に設けられることによって帽体１２の外側に突出しない。なお、図５中の符号１６ａは、凹部１６の裏側を示す。
【００１５】
帽体１２は、周縁方向に沿って３個のパーツに分割可能に形成されており、第１パーツ１２ａと、第２パーツ１２ｂと、第３パーツ１２ｃとに分割することができる。
【００１６】
第１パーツ１２ａの上端縁に沿った位置には、図３に示すように、段部１７を介して凸状部１８が形成されている。また、第２パーツ１２ｂの下端縁に沿った位置には、前記段部１７に沿って位置する凸状部１９と、前記凸状部１８が嵌合する凹状部２０と、この凹状部２０の内側に位置する突状部２１とが形成されている。
【００１７】
第２パーツ１２ｂの上端縁に沿った位置には、、図３に示すように、段部２２を介して凸状部２３が形成されている。また、第３パーツ１２ｃの下端縁に沿った位置には、前記段部２２に沿って位置する凸状部２４と、前記凸状部２３が嵌合する凹状部２５と、この凹状部２５の内側に位置する突状部２６とが形成されている。
【００１８】
第１パーツ１２ａと第２パーツ１２ｂとに渡った位置には、図２及び図４に示すように、連結具２７ａが設けられている。即ち、連結具２７ａは、図６から図８に示すように、第１パーツ１２ａに取り付けられた台座２８ａと、台座２８ａのピン２９を中心に回動自在なレバー３９と、レバー３９の中央部に設けられ且つピン３０を中心に回動自在な継手部３１と、継手部３１に連結するフック３２と、フック３２の爪部３２ａが掛止すると共に第２パーツ１２ｂに取り付けられた掛止部３３ａとから構成される。
【００１９】
このような構成の連結具２７ａは、レバー３９を矢印Ａ方向に移動すると、連結状態が解除されて（図７参照）、第１パーツ１２ａと第２パーツ１２ｂとを分割することができる。また、フック３２の爪部３２ａを掛止部３３ａに掛止してから、レバー３９を矢印Ｂ方向に移動すると、第１パーツ１２ａと第２パーツ１２ｂとが連結することとなる（図６参照）。
【００２０】
このように、レバー３９を矢印Ａ方向、即ち上方向に移動して連結状態を解除するので、飛来物がレバー３９に当たったり、誤ってレバー３９を押し下げたりしたとしても、各パーツ１２ａ、１２ｂの連結状態が、意に反して解除されない。
【００２１】
第２パーツ１２ｂと第３パーツ１２ｃとに渡った位置には、図２及び図４に示すように、連結具２７ｂが設けられている。連結具２７ｂの台座２８ｂは、第２パーツ１２ｂに取り付けられている。また、掛止部３３ｂは、第３パーツ１２ｃに取り付けられている。そして、この連結具２７ｂは、前述の連結具２７ａと同様な構成及び作用であるので、同一部分には同一符号を付してその詳細は省略する。
【００２２】
ハンモック１３は、図２に示すように、頂部３４から複数の帯部３５が垂下しており、この帯部３５の端部に、ヘッドバンド３６が設けられている。このような構成のハンモック１３は、帯部３５に設けられた係止片３７を、帽体１２の内側に設けられた係止部３８に係止させて取り付けられる。
【００２３】
以上のような構成のヘルメット１１は、不使用時には帽体１２の各パーツ１２ａ、１２ｂ、１２ｃを分割してコンパクトに収納できるので、防災用に準備しておくヘルメットとして最適である。
また、使用時には、連結具２７ａ、２７ｂで各パーツ１２ａ、１２ｂ、１２ｃを連結すれば、簡単に帽体１２を組み立てることができるので、災害時には必須のヘルメットを形成できる。
【図面の簡単な説明】
【００２４】
【図１】本考案に係るヘルメット１１の側面図である。
【図２】一部を破断して示した帽体１２と、ハンモック１３とを分離した状態の側面図である。
【図３】帽体１２を背面から示す縦断面図である。
【図４】帽体１２の平面図である。
【図５】帽体１２の底面図である。
【図６】連結具２７ａの側面図である。
【図７】連結状態を解除した、連結具２７ａの側面図である。
【図８】連結具２７ａの平面図である。
【符号の説明】
【００２５】
１１  ヘルメット
１２  帽体
１２ａ  第１パーツ
１２ｂ  第２パーツ
１２ｃ  第３パーツ
１３  ハンモック（衝撃吸収部材）
１４  ひさし
１５、１６  凹部
１５ａ、１６ａ  裏側
１７  段部
１８、１９  凸状部
２０  凹状部
２１  突状部
２２  段部
２３、２４  凸状部
２５  凹状部
２６  突状部
２７ａ、２７ｂ  連結具
２８ａ、２８ｂ  台座
２９、３０  ピン
３１  継手部
３２  フック
３２ａ  爪部
３３ａ、３３ｂ  掛止部
３４  頂部
３５  帯部
３６  ヘッドバンド
３７  係止片
３８  係止部
３９  レバー
【図１】
0003122726.tif 000003
【図２】
0003122726.tif 000004
【図３】
0003122726.tif 000005
【図４】
0003122726.tif 000006
【図５】
0003122726.tif 000007
【図６】
0003122726.tif 000008
【図７】
0003122726.tif 000009
【図８】
0003122726.tif 000010